(57)【要約】【課題】  本発明は、二重壁を有する容器において、この二重壁構造を利用してモアレ模様により今までにない３次元的な視覚効果を創出するための構成を創出することを技術的課題とするものである。【解決手段】  内容物を収納する中容器と、この中容器の少なくとも胴部を外装する透明性若しくは半透明性の合成樹脂製の外装体により二重壁を形成し、基材フィルムに透明性若しくは半透明性の印刷層により凸状に規則性を有するパターンをそれぞれ形成した２枚の加飾フィルムＡと加飾フィルムＢのうち、一方の加飾フィルムＡを中容器あるいは外装体の周面、若しくは二重壁部分に形成される間隙に配設し、他方の加飾フィルムＢを二重壁部分に形成される間隙に移動可能に配設し、加飾フィルムＡと加飾フィルムＢが相対的に移動可能に構成し、両加飾フィルムのパターン間による光の干渉効果により、モアレ状の３次元的な視覚効果が現出する構成とする。【選択図】図１
2010260598.tif 000002
【特許請求の範囲】
【請求項１】
内容物を収納する中容器(1)と、該中容器(1)の少なくとも胴部(4)を外装する透明性若しくは半透明性の合成樹脂製の外装体(11)により二重壁を形成し、基材フィルム(23)に透明性若しくは半透明性の印刷層(24)により凸状に規則性を有するパターンをそれぞれ形成した２枚の加飾フィルムＡ(21)と加飾フィルムＢ(22)のうち、一方の加飾フィルムＡ(21)を中容器(1)あるいは外装体(11)の周面、若しくは二重壁部分に形成される間隙(G)に配設し、他方の加飾フィルムＢ(22)を前記間隙(G)に移動可能に配設し、前記加飾フィルムＡ(21)と加飾フィルムＢ(22)が相対的に移動可能に構成し、両加飾フィルムのパターン間による光の干渉効果により、モアレ状の３次元的な視覚効果が現出する構成としたことを特徴とする加飾二重容器。
【請求項２】
スクリーン印刷による印刷層(24)により規則性を有するパターンを形成した請求項１記載の加飾二重容器。
【請求項３】
加飾フィルムＡ(21)をインサート材としたインサート成形により、該加飾フィルムＡ(21)を外装体(11)の内周面に巻回状に配設した請求項１または２記載の加飾二重容器。
【請求項４】
上端開口部に注出用のポンプ(31)を配設して使用するもので、中容器(1)は円筒状の胴部(4)の開口下端から該胴部(4)内に軸心方向に沿って密摺動可能に摺動底蓋(6)を嵌装したものであり、加飾フィルムＢ(22)を連結片(27)を介して、中容器(1)の下端下方を経て前記摺動底蓋(6)に連結し、内容液の注出に伴う摺動底蓋(6)の上方変位に伴い、前記加飾フィルムＢ(22)が二重壁部分に形成される間隙(G)内で下方に変位する構成とした請求項１、２または３記載の加飾二重容器。
【発明の詳細な説明】
【技術分野】
【０００１】
本発明は、内容物を収納する中容器と、この中容器を外装する外装体で二重壁を形成すると共に、この二重壁部分を利用して加飾した加飾性二重壁容器に関するものである。
【背景技術】
【０００２】
化粧料を容器に収納した製品では、使用する容器に今までにない加飾性を現出させて他社製品との差別化が図られている。
たとえば特許文献１には、特に高級化粧液等に使用する外容器と中容器からなる合成樹脂製の二重容器に関する記載があるが、このように二重容器とすることにより一重容器では得られない加飾性を付与することができる。
【先行技術文献】
【特許文献】
【０００３】
【特許文献１】特開平１０−５９３５７号公報
【発明の概要】
【発明が解決しようとする課題】
【０００４】
本発明は、二重壁を有する容器において、この二重壁構造を利用してモアレ模様により今までにない３次元的な視覚効果を創出するための構成を創出することを技術的課題とするものである。
【課題を解決するための手段】
【０００５】
上記技術的課題を解決する手段の内、本発明の主たる構成は、
内容物を収納する中容器と、この中容器の少なくとも胴部を外装する透明性若しくは半透明性の合成樹脂製の外装体により二重壁を形成し、
基材フィルムに透明性若しくは半透明性の印刷層により凸状に規則性を有するパターンをそれぞれ形成した２枚の加飾フィルムＡと加飾フィルムＢのうち、
一方の加飾フィルムＡを中容器あるいは外装体の周面、若しくは二重壁部分に形成される間隙に配設し、他方の加飾フィルムＢを二重壁部分に形成される間隙に移動可能に配設し、
加飾フィルムＡと加飾フィルムＢが相対的に移動可能に構成し、両加飾フィルムのパターン間による光の干渉効果により、モアレ状の３次元的な視覚効果が現出する構成とする、と云うものである。
【０００６】
ここで、上記構成における透明性若しくは半透明性の合成樹脂製の外装体と、
透明性若しくは半透明性の印刷層は、有色透明性若しくは有色半透明性のものが含まれる。
また、外装体は用途に応じて有底筒状の外容器状、あるいは底部のない筒状とすることができる。
また、加飾フィルムＡは中容器の外周面、外装体の外周面あるいは内周面、二重壁部分の間隙に沿うように、さまざまな態様で配設することができる。
【０００７】
そして、上記構成によれば、加飾フィルムＢを二重壁部分に形成される間隙を利用して移動可能に配設することにより、加飾フィルムＡと加飾フィルムＢを相対的に移動可能に構成することができ、両加飾フィルムに形成されている印刷インク層による凸状に形成された規則性を有するパターンによるモアレ状の３次元的な視覚効果を変化に富んだダイナミックなものとすることができる。
【０００８】
ここで、加飾フィルムＡと加飾フィルムＢには、それぞれ印刷面と印刷していない面があるが、両加飾フィルムの印刷面が対向するように重ねることもできるし、印刷面と印刷していない面が対向するように重ねることもでき、現出するモアレ状の視覚効果を考慮して選択することができる。
また、たとえば加飾フィルムＡを外装体の内周面に内接状に配設する場合にも、印刷面を内接させることもできるし、印刷してない面を内接させることもできる。
また、両加飾フィルムを接触するように重ねることもできるし、隙間を設けて重ねることもできる。
【０００９】
また、加飾フィルムに使用する基材フィルムの厚さは、加飾フィルムＡでは中容器や外装体へ配設するための巻回性、加飾フィルムＢでは二重壁部分の間隙における形態保持性や移動性を考慮して適宜決めることができるが、一般的には３０ミクロン〜３００ミクロンの範囲とすることが好ましい。
３０ミクロン未満では面剛性が不足して、巻回性や形状保持性が十分でなくなるし、逆に３００ミクロンを超えると面剛性が大きくなりすぎて巻回しにくくなり、また移動性が損なわれる。
【００１０】
本発明の他の構成は、上記主たる構成に加えて、スクリーン印刷による印刷層により規則性を有するパターンを形成する、と云うものである。
【００１１】
基材フィルムに透明性若しくは半透明性の印刷層により凸状に規則性を有するパターンを形成する方法としては、上記構成にあるようにスクリーン印刷による方法、あるいは印刷層をベタ状に印刷形成し、このベタ状の印刷層を規則的なパターンを刻設した版で押圧する等の方法がある。
ここで、スクリーン印刷方法によれば繊細な凸状の規則的なパターンをクリアに、高精度に形成できることができ、モアレ模様を高品位に現出させることができる。さらに、スクリーン印刷によれば印刷層を厚盛状に形成することができるので、モアレ状、さらにはレンズ状の視覚効果を効果的に現出させることができる。
【００１２】
本発明のさらに他の構成は、加飾フィルムＡをインサート材としたインサート成形により、この加飾フィルムＡを外装体の内周面に巻回状に配設する、と云うものである。
【００１３】
上記構成は、加飾フィルムＡの配設態様に係る具体例であり、当該構成によれば、インサート成形により後加工によることなく、外装体の成形と同時に外装体の内周面の所定の位置に高精度で、加飾フィルムＡをしっかりと固定することができる。
【００１４】
本発明のさらに他の構成は、上端開口部に注出用のポンプを配設して使用するもので、中容器は円筒状の胴部の開口下端から胴部内に軸心方向に沿って密摺動可能に摺動底蓋を嵌装したものであり、
加飾フィルムＢを連結片を介して、中容器の下端下方を経て摺動底蓋に連結し、内容液の注出に伴う摺動底蓋の上方変位に伴い、加飾フィルムＢが二重壁部分に形成される間隙内で下方に変位する構成とする、と云うものである。
【００１５】
上記構成は、上述した本願の主たる構成の作用効果を利用したポンプ付き注出容器に係るものであり、内容液の注出に伴い加飾フィルムＢが二重壁間に形成される間隙内で下方に変位し、この変位に伴いモアレ模様のダイナミックな変化を現出させることができ、今までにない加飾効果を有するポンプ付き注出容器を提供することができる。
【発明の効果】
【００１６】
本発明は、上記した構成となっているので、以下に示す効果を奏する。
すなわち、本発明の主たる構成を有するものにあっては、
加飾フィルムＢを二重壁間に形成される間隙を利用して移動可能に配設することにより、加飾フィルムＡと加飾フィルムＢが相対的に移動可能に構成することができ、両加飾フィルムに形成されている印刷層による凸状に形成された規則性を有するパターンによるモアレ状の３次元的な視覚効果を変化に富んだダイナミックなものとすることができ、今までにない加飾効果を有する二重容器を提供することができる。
【図面の簡単な説明】
【００１７】
【図１】本発明の加飾二重壁容器の第１実施例であるポンプ付き注出容器の（ａ）は部分的に縦断して示す側面図、（ｂ）は二重壁部分の拡大縦断面図である。
【図２】図１の加飾二重壁容器に使用する加飾フィルムＡ、Ｂの（ａ）は拡大平面図、（ｂ）は層構造示す断面図である。
【図３】図１の加飾二重壁容器に使用する加飾フィルムＢの全体形状を示す平面図である。
【図４】図１の加飾二重壁容器において、内容液の注出が進行した際の状態を示す、（ａ）は部分的に縦断して示す側面図、（ｂ）は二重壁部分の拡大縦断面図である。
【図５】本発明の加飾二重壁容器の第２実施例である他のポンプ付き注出容器の部分的に縦断して示す側面図である。
【図６】図５の加飾二重壁容器を倒立姿勢とした際の状態を部分的に縦断して示す側面図である。
【発明を実施するための形態】
【００１８】
以下、本発明の実施の形態を実施例に沿って、図面を参照しながら説明する。
図１は本発明の加飾二重壁容器の第１実施例であるポンプ付き注出容器を説明するためのものであり、（ａ）は部分的に縦断して示す側面図、（ｂ）は二重壁部分の拡大縦断面図である。
また、図２（ａ）はこの加飾二重壁容器に使用する加飾フィルムＡ、Ｂの拡大平面図、（ｂ）は層構造示す断面図、図３は加飾フィルムＢの全体的な形状を示す平面図、そして図４は内容液の注出が進行した際の状態を示す（ａ）は部分的に縦断して示す側面図、（ｂ）は二重壁部分の拡大縦断面図である。
【００１９】
このポンプ付き注出容器は上端部にノズルヘッド３２、下端部にシリンダ３３を配設した手動押下げ式のポンプ３１を組付きキャップ３５により外装体１１と共に二重壁を構成する中容器１の口筒部２に螺合により組付け固定したものである。
【００２０】
二重壁を構成する中容器１と外装体１１のうち、中容器１は合成樹脂製で、円筒状の胴部４の上端部に肩部３を介して口筒部２を起立設したもので、胴部４の下端は開口端となっている。そして、この胴部４内に軸心方向に沿って密摺動可能に低密度ポリエチレン等の比較的軟質な合成樹脂製の摺動底蓋６を嵌装している。
また、胴部４の下端部には底カバー９を嵌合している。
【００２１】
一方、外装体１１は有底筒状の透明性の合成樹脂製で、円筒状の胴部１４の下端部に底部１５を連設したものであり、中容器１と外装体１１による二重壁部分には間隙Ｇが形成されている。
【００２２】
そして、この加飾二重容器には加飾フィルムＡ２１と加飾フィルムＢ２２の２つの加飾フィルムが配設されている。
両加飾フィルムはいずれも、透明なポリエチレンテレフタレート樹脂製の延伸フィルムである基材フィルム２３の表面に、スクリーン印刷による厚盛状の透明なドット状の印刷層２４を、図２（ａ）、（ｂ）に示されるように、ドットを一定の間隔で並べるようにして、凸状に規則性を有するパターンを形成している。
なお、基材フィルム２３としてはポリエチレンテレフタレート樹脂製の延伸フィルムの他にもポリプロピレン樹脂製のフィルム等を使用することができる。
また、本実施例において加飾フィルムＡ２１と加飾フィルムＢ２２には、３０〜３００ミクロン程度の厚さの基材フィルム２３を用い、印刷層２４によるパターンは両者同一で、ドットの径は０．２〜２ｍｍ、突出高さは０．０５〜０．５ｍｍの範囲とした。
【００２３】
また、加飾フィルムＡ２１は平坦矩形状であるが、加飾フィルムＢの全体形状は、図３に示されるように本体である平坦矩形状部分に細長いリボン状の連結片２７を連結した形状としている。
【００２４】
加飾フィルムＡ２１はインサート成形により外装体１１の胴部１４の内周面の全高さ、全周に亘って熱溶着状に接着固定されている。
平坦矩形状の加飾フィルムＡ２１をインサート材として円筒状に巻回して金型内にセットした状態で、外装体１１の射出成形と同時に外装体１１の胴部１４の内周面にしっかりと固定することができる。
【００２５】
一方、加飾フィルムＢ２２は平坦矩形状部分を円筒状に巻回した状態で、二重壁部分の間隙Ｇ内の上端部近傍（図１中、クロスハッチングで示した領域）に挿入状に配設されている。
ここで、細長いリボン状の連結片２７の下端部は間隙Ｇを下降し、中容器１の下端を迂回し、底カバー９の一部に形成されている欠部９ｋを経て、摺動底蓋６に垂下設されている固定片６ａに形成されているスリットに挟持状に固定されており、これにより加飾フィルムＢ２２と摺動底蓋６が連結される。
【００２６】
上記のように、透明な印刷層２４により規則性を有するパターンが形成された加飾フィルムＡ２１と加飾フィルムＢ２２を配設することにより、モアレ状の３次元的な視覚効果を透明な外装材１１を透して現出させることができる。
そして、本実施例のポンプ付き注出容器では、さらに、ノズルヘッド３２を押下げて内容液を注出すると、中容器１内が減圧状態となり内容液が減少した分、摺動底蓋６が上昇変位し、この上昇変位に伴って、連結片２７を介して摺動底蓋６に連結されている加飾フィルムＢが間隙Ｇを下方に変位するので（図４（ａ）、（ｂ）参照）、この変位によりモアレ模様のダイナミックな変化を現出させることができる。
【００２７】
本実施例における加飾フィルムＡ２１と加飾フィルムＢ２２の組み合わせでは、主として多数の水玉が整列したようなモアレ模様が現出されるが、加飾フィルムＡ２１に対して、加飾フィルムＢ２２が下降変位するに従って、水玉の大きさが大きくなったり小さくなったりダイナミックに変化する。
【００２８】
次に、図５、６は本発明の加飾二重壁容器の第２実施例である他のポンプ付き注出容器を説明するためのものであり、図５は部分的に縦断して示す側面図、図６は倒立姿勢とした際の状態を部分的に縦断して示す側面図である。
【００２９】
この第２実施例のポンプ付き注出容器の構成は、加飾フィルムＢ２２の配設態様を除いて、第１実施例のポンプ付き注出容器の構成と略同様な構成を有する。
本実施例では矩形状の加飾フィルムＢ２２を、円筒状に巻回した状態で二重壁部分の間隙Ｇ内に挿入状に配設しており、重力の方向に沿って間隙Ｇ内を上下動するような構成としている。
【００３０】
従って、図５のような正立状態では、加飾フィルムＢ２２は、間隙Ｇの下端部に位置し、正立状態から図６のような倒立状態とすると、加飾フィルムＢ２２は重力により間隙Ｇの上端部に移動するため、この移動に伴ってモアレ模様のダイナミックな変化を現出させることができる。
【００３１】
以上、実施例に沿って本願発明の実施の形態とその作用効果について説明したが、本願発明はこれら実施例に限定されるものではない。
たとえば、上記実施例では二重壁容器としてポンプ付き注出容器を例示して説明したが、本発明の作用効果は、ポンプ付き注出容器に限らず、中容器と外装体から構成される二重壁を有する容器一般において発揮されるものである。
また、二重容器の形状は円筒状の他にも、楕円筒状、角形筒状とすることができる。
【００３２】
また、上記実施例の加飾フィルムＡ、Ｂでは、印刷層２４により多数のドットにより同じ規則性を有するパターンを形成するものとしたが、勿論、ドットに限定されるものではないし、加飾フィルムＡ、Ｂを異なるパターンとすることもできる。
また、上記実施例では加飾フィルムＡをインサート成形により外装体１１の内周面に接着固定する構成としたが、巻回して筒状にした加飾フィルムＡを間隙Ｇに挿入し、その弾力を利用し外装体の内周面に内接するように配設することもできる。
さらに前述したように加飾フィルムＡの配設態様は多様であり、たとえばシュリンクフィルムとして外装体の外周面に密着巻回状に配設することも可能である。
また、上記実施例では加飾フィルムＢを円筒状にして間隙Ｇに挿入するようにしたが、たとえば半周分だけ、１／４周分にする等加飾目的に合わせてその配設範囲を自由に選択することができる。
【産業上の利用可能性】
【００３３】
以上説明したように、本発明の加飾二重壁容器は二重壁部分の間隙を利用してモアレ状の３次元的な視覚効果を変化に富んだダイナミックなものにすることができ、今までにない加飾効果により化粧料等の容器として幅広い利用展開が期待される。
【符号の説明】
【００３４】
１  ；中容器
２  ；口筒部
３  ；肩部
４  ；胴部
６  ；摺動底蓋
６ａ；固定片
９  ；底カバー
９ｋ；欠部
１１；外装体
１４；胴部
１５；底部
２１；加飾フィルムＡ
２２；加飾フィルムＢ
２３；基材フィルム
２４；印刷層
２７；連結片
３１；ポンプ
３２；ノズルヘッド
３３；シリンダ
３５；組付きキャップ
Ｇ  ；間隙
【図１】
2010260598.tif 000003
【図２】
2010260598.tif 000004
【図３】
2010260598.tif 000005
【図４】
2010260598.tif 000006
【図５】
2010260598.tif 000007
【図６】
2010260598.tif 000008